(57)【要約】【課題】リフレクタ内に収容された光源ランプから放射され、前記リフレクタにより集光方向に反射されて導光ロッドにその一端側から入射した光を、この導光ロッドの他端側に前記リフレクタの集光角よりも小さい広がり角で出射する。【解決手段】リフレクタ３の出射側に、周面が光の反射面とされたロッド部５と、このロッド部５の一端に設けられ、ロッド部５の中心線Ｏ２の延長線上に頂部を有し、基部の外周面がロッド部５の周面の反射面と連続する透明な錐状部６とからなる導光ロッド４を、ロッド部５の中心線Ｏ２をリフレクタ３の中心線Ｏ１に一致させるとともに錐状部６の頂部と基部との中間部付近をリフレクタ３による反射光の集光部に位置させて配置した。【選択図】    図２
2004205783.tif 000002
【特許請求の範囲】
【請求項１】
光源ランプと、一端に出射口を有し、内部に収容された前記光源ランプからの放射光を前記出射口の前方において集光する方向に反射して前記出射口から出射するリフレクタと、前記リフレクタの出射側に一端を前記リフレクタに対向させて配置され、前記リフレクタの出射口から集光方向に出射した光を前記一端側から入射させ、その光を周面で反射しながら導いて他端側に出射する導光ロッドとを備え、且つ、前記導光ロッドは、周面が光の反射面とされたロッド部と、このロッド部の一端に設けられ、前記ロッド部の中心線の延長線上に頂部を有し、基部の外周面が前記ロッド部の周面の反射面と連続する透明な錐状部とからなっており、この導光ロッドが、前記ロッド部の中心線を前記リフレクタの中心線に一致させるとともに前記錐状部の頂部と基部との中間部付近を前記リフレクタによる反射光の集光部に位置させて配置されていることを特徴とする光源装置。
【請求項２】
導光ロッドのロッド部は、外周面が前記ロッド部内を導かれる光の反射面とされた棒状透明体からなっていることを特徴とする請求項１に記載の光源装置。
【請求項３】
導光ロッドのロッド部は、内周面が前記ロッド部内を導かれる光の反射面とされた筒状体からなっていることを特徴とする請求項１に記載の光源装置。
【請求項４】
導光ロッドの錐状部は、リフレクタの出射口から出射する光の中心部に生じる光源ランプの影内に入る先端部分が切り落とされた裁頭錐状をなしていることを特徴とする請求項１〜３のいずれかに記載の光源装置。
【請求項５】
請求項１に記載の光源装置と、光の反射または透過を制御して画像を表示する表示体と、前記光源装置からの光を前記表示体に入射させるための光源側レンズと、前記表示体からの出射光を投影面に投影するための投影側レンズとを備えたことを特徴とするプロジェクタ。
【発明の詳細な説明】
【０００１】
【発明の属する技術分野】
この発明は光源装置及びそれを用いたプロジェクタに関するものである。
【０００２】
【従来の技術】
一般にＤＭＤと略称されるマイクロミラー表示素子（Digital Micromirror Device）や液晶表示素子等のような光の反射または透過を制御して画像を表示する表示体を備えたプロジェクタは、光源装置からの光を光源側レンズを介して前記表示体に入射させ、前記表示体からの出射光を投影側レンズを介してスクリーン等の投影面に投影する構成となっている。
【０００３】
この種のプロジェクタの光源装置は、前記表示体に強度分布が均一な光を入射させるために、光源ランプと、一端に出射口を有し、内部に収容された前記光源ランプからの放射光を前記出射口の前方において集光する方向に反射して前記出射口から出射するリフレクタと、前記リフレクタの出射側に一端を前記リフレクタに対向させて配置され、前記リフレクタの出射口から集光方向に出射した光を前記一端側から入射させ、その光を周面で反射しながら導いて他端側に出射する導光ロッドとを備えた構成とされている（特許文献１、２参照）。
【０００４】
【特許文献１】
特開２００２−２７７８２０号公報
【０００５】
【特許文献２】
特開平９−１６００３４号公報
【０００６】
【発明が解決しようとする課題】
ところで、前記プロジェクタの光源側レンズと投影側レンズは、光源装置からの光を所定の入射角で表示体に入射させ、前記表示体からの出射光を投影面にピントを合わせて投影することができるように設計されるが、これらのレンズの設計は、レンズの取込み角が大きくなるほど難しくなる。
【０００７】
そのため、前記光源側レンズ及び投影側レンズの設計を容易にしてコストを低減するには、前記光源装置の導光ロッドから出射する光の広がり角を小さくし、前記レンズの取込み角を小さくすることが望まれる。
【０００８】
従来のプロジェクタの光源装置は、前記導光ロッドが、前記リフレクタにより集光方向に反射されてこの導光ロッドにその一端面から入射した光を、この導光ロッドの他端面から前記リフレクタの集光角と同じ広がり角で出射するため、前記導光ロッドから出射する光の広がり角を小さくして前記光源側レンズ及び投影側レンズの取込み角を小さくするためには、前記リフレクタの焦点距離倍率を大きくし、その集光角を小さくしなければならない。
【０００９】
しかし、このようにリフレクタの集光角を小さくすると、それにともなってリフレクタ深さ（光源ランプの発光部からリフレクタの出射口までの距離）が小さくなるため、前記リフレクタの集光効率が悪くなる。
【００１０】
そして、前記リフレクタの集光効率が悪いと、光源ランプの発光部からの放射光のうち、前記リフレクタにより反射されずに直接リフレクタの出射口から出射する光の量が多くなり、その光の大部分が前記導光ロッドに入射せずに無駄になるため、光源ランプからの光の利用効率が低下してしまう。
【００１１】
この発明は、リフレクタにより集光方向に反射されて導光ロッドにその一端側から入射した光を、この導光ロッドの他端側に前記リフレクタの集光角よりも小さい広がり角で出射するようにした、前記リフレクタの集光角を大きくし、光源ランプからの光を効率良く前記リフレクタにより反射して前記導光ロッドに入射させることができる光源装置を提供するとともに、光源側レンズ及び投影側レンズの設計を容易にしてコストを低減することができるプロジェクタを提供することを目的としたものである。
【００１２】
【課題を解決するための手段】
この発明の光源装置は、光源ランプと、一端に出射口を有し、内部に収容された前記光源ランプからの放射光を前記出射口の前方において集光する方向に反射して前記出射口から出射するリフレクタと、前記リフレクタの出射側に一端を前記リフレクタに対向させて配置され、前記リフレクタの出射口から集光方向に出射した光を前記一端側から入射させ、その光を周面で反射しながら導いて他端側に出射する導光ロッドとを備え、且つ、前記導光ロッドは、周面が光の反射面とされたロッド部と、このロッド部の一端に設けられ、前記ロッド部の中心線の延長線上に頂部を有し、基部の外周面が前記ロッド部の周面の反射面と連続する透明な錐状部とからなっており、この導光ロッドが、前記ロッド部の中心線を前記リフレクタの中心線に一致させるとともに前記錐状部の頂部と基部との中間部付近を前記リフレクタによる反射光の集光部に位置させて配置されていることを特徴とする。
【００１３】
この光源装置は、周面が光の反射面とされたロッド部と、このロッド部の一端に設けられ、前記ロッド部の中心線の延長線上に頂部を有し、基部の外周面が前記ロッド部の周面の反射面と連続する透明な錐状部とからなる導光ロッドを、前記ロッド部の中心線を前記リフレクタの中心線に一致させるとともに前記錐状部の頂部と基部との中間部付近を前記リフレクタによる反射光の集光部に位置させて配置したものであるため、前記光源ランプから放射され、前記リフレクタにより集光方向に反射されて前記導光ロッドにその一端側から入射した光を、この導光ロッドの他端側に前記リフレクタの集光角よりも小さい広がり角で出射することができる。
【００１４】
そのため、この光源装置によれば、前記リフレクタの集光角を大きくし、光源ランプからの光を効率良く前記リフレクタにより反射して前記導光ロッドに入射させることができ、したがって、前記リフレクタの集光角を大きくし、前記光源ランプからの光を効率良く前記リフレクタにより反射して前記導光ロッドに入射させることができる。
【００１５】
この発明の光源装置において、前記導光ロッドのロッド部は、外周面がロッド部内を導かれる光の反射面とされた棒状透明体により形成しても、あるいは、内周面がロッド部内を導かれる光の反射面とされた筒状体により形成してもよい。
【００１６】
また、前記導光ロッドの錐状部は、前記リフレクタの出射口から出射する光の中心部に生じる光源ランプの影内に入る先端部分が切り落とされた裁頭錐状に形成するのが好ましい。
【００１７】
また、この発明のプロジェクタは、前記発明の光源装置と、光の反射または透過を制御して画像を表示する表示体と、前記光源装置からの光を前記表示体に入射させるための光源側レンズと、前記表示体からの出射光を投影面に投影するための投影側レンズとを備えたことを特徴とする。
【００１８】
このプロジェクタは、前記光源装置を備えたものであるため、前記光源側レンズ及び投影側レンズの設計を容易にし、コストを低減することができる。
【００１９】
【発明の実施の形態】
図１〜図４はこの発明の第１の実施例を示しており、図１はプロジェクタの構成図、図２は前記プロジェクタの光源装置の側面図、図３及び図４は前記光源装置の導光ロッドの斜視図及び断面図である。
【００２０】
まず、図１に示したプロジェクタの構成を説明すると、このプロジェクタは、光源装置１と、光の反射または透過を制御して画像を表示する表示体１０と、前記光源装置１からの光を前記表示体１０に入射させるための光源側レンズ１１と、前記表示体１０からの出射光を図示しないスクリーン等の投影面に投影するための投影側レンズ１２と、前記光源側レンズ１１からの出射光を平行光に補正して前記表示体１０に入射させるとともに前記表示体１０からの出射光を前記投影側レンズ１２に入射させるための中継レンズ１３とからなっている。
【００２１】
なお、このプロジェクタは、前記表示体１０としてマイクロミラー表示素子を用いたものであり、このマイクロミラー表示素子１０は、その構造は図示しないが、縦横の幅が１０μｍ〜２０μｍの極薄金属片（例えばアルミニウム片）からなり、ＣＭＯＳをベースとするミラー駆動素子により一方の傾き方向と他方の傾き方向とに傾動される複数のマイクロミラーが行方向及び列方向にマトリックス状に配列した構成となっている。
【００２２】
このマイクロミラー表示素子１０は、その正面方向に対して前記マイクロミラーの一方の傾き方向に傾いた入射方向から所定の入射角で入射した光を、前記複数のマイクロミラーの傾き方向の切換えにより前記正面方向と斜め方向とに反射して画像を表示するものであり、前記投影側レンズ１２は、前記マイクロミラー表示素子１０の正面方向に出射する反射光を投影面に投影するように配置されている。
【００２３】
なお、このプロジェクタでは、前記マイクロミラー表示素子１０にカラー画像を表示させるため、前記光源装置１の出射側に、前記光源装置１からの出射光を複数の色、例えば赤、緑、青の３色に順次着色するためのカラーホィール１４を配置している。
【００２４】
このカラーホィール１４は、扇形状の赤、緑、青の３色のカラーフィルタを周方向に並べて設けた円板状の回転板からなっており、モータ１５により回転駆動される。
【００２５】
次に、前記光源装置１の構成を説明すると、この光源装置１は、図１及び図２に示したように、光源ランプ２と、一端に出射口３ａを有し、内部に収容された前記光源ランプ２からの放射光を前記出射口３ａの前方において集光する方向に反射して前記出射口３ａから出射するリフレクタ３と、前記リフレクタ３の出射側に一端を前記リフレクタ３に対向させて配置され、前記リフレクタ３の出射口３ａから集光方向に出射した光を前記一端側から入射させ、その光を周面で反射しながら導いて他端側に出射する導光ロッド４とを備えている。
【００２６】
前記リフレクタ３は、例えば中空の楕円球をその長軸に対して垂直に切断した形状の楕円面リフレクタであり、その開放部により円形の出射口３ａが形成されている。
【００２７】
また、前記光源ランプ２は、中間部に球状の膨らみ部を有するガラスバルブ内に一対の棒状電極がそれぞれの先端を前記膨らみ部内において近接対向させて設けられ、前記ガラスバルブ内に前記電極間に発生するアークにより発光する物質が封入されたメタルハライドランプまたは高圧水銀ランプ等のショートアークランプであり、この光源ランプ２は、前記ガラスバルブの中心線を前記リフレクタ３の中心線（楕円の長軸）Ｏ１に一致させるとともに、前記ガラスバルブの膨らみ部内の発光部をリフレクタ３の内奥部に位置させて前記リフレクタ３内に配置されている。
【００２８】
一方、前記導光ロッド４は、図１〜図４に示したように、周面が光の反射面とされたロッド部５と、このロッド部５の一端に設けられ、前記ロッド部５の中心線Ｏ２の延長線上に頂部を有し、基部の外周面が前記ロッド部５の周面の反射面と連続する透明な錐状部６とからなっている。
【００２９】
この導光ロッド４のロッド部５は、外周面が、前記ロッド部５内を導かれる光をその外周面と外気である空気層の界面で全反射させる反射面とされた断面形状が正方形の角棒状透明体、例えば角棒状ガラスからなっている。
【００３０】
また、前記導光ロッド４の錐状部６は、その外周面が、前記リフレクタ３により集光方向に反射された光の入射面と、その入射光を外気である空気層の界面で全反射させる反射面とを兼ねるものである。
【００３１】
この錐状部６は、その基端の外形がロッド部５の端面の外形と一致する断面形状が正方形の角錐状をなしており、前記ロッド部５の一端に、このロッド部５と同じ透明材（例えばガラス）により一体に形成されている。
【００３２】
そして、この導光ロッド４は、前記ロッド部５の中心線Ｏ２を前記リフレクタ３の中心線Ｏ１、つまり前記リフレクタ３により集光方向に反射された光束の光軸に一致させるとともに、前記錐状部６の頂部と基部との中間部付近を前記リフレクタ３による反射光の集光部に位置させて配置されている。
【００３３】
なお、図１及び図２では、前記リフレクタ３による反射光が前記リフレクタ３の中心線Ｏ１上の一点に集光するように示しているが、前記ショートアークランプからなる光源ランプ２の電極間の発光部は点状ではなく、ガラスバルブの軸方向に１〜１．５ｍｍの長さをもっており、また、その発光部において発生した光が前記ガラスバルブの膨らみ部を屈折して透過してランプ外に出射するため、前記リフレクタ３による反射光は、前記リフレクタ３の中心線Ｏ１上のある程度の長さの部分に集光する。
【００３４】
前記導光ロッド４は、前記光源ランプ２の発光部から放射され、前記リフレクタ３により集光方向に反射された光を前記錐状部６から入射させ、その光を前記錐状部６及びロッド部５の外周面で反射しながら導いて前記ロッド部５の他端側に出射するものであり、前記リフレクタ３により集光方向に反射された光は、図１及び図２に矢線で示したように前記導光ロッド４の錐状部６にその外周面から入射し、この錐状部６の反対側の外周面と空気層との界面で全反射され、前記ロッド部５の中心線Ｏ２に対する角度が小さくなる方向に向きを変えて前記ロッド部５内に入り、このロッド部５内をその外周面と空気層との界面で全反射されながら導かれて前記ロッド部５の他端面から出射する。
【００３５】
すなわち、図２のように前記リフレクタ３により集光方向に反射された光のリフレクタ中心線Ｏ１に対する最大角度をθ１、前記導光ロッド４の錐状部６の頂角の１／２、つまり前記ロッド部５の中心線Ｏ２に対する角度をθ２、前記ロッド部５の他端面から出射する光の前記中心線Ｏ２に対する最大角度をθ３とすると、
θ３＝θ１−θ２
の関係式が成り立つ。
【００３６】
したがって、前記ロッド部５の他端面から出射する光の前記中心線Ｏ２に対する最大角度をθ３は、前記リフレクタ３により集光方向に反射された光のリフレクタ中心線Ｏ１に対する最大角度θ１よりも小さくなる。
【００３７】
このように、この光源装置１は、周面が光の反射面とされたロッド部５と、このロッド部５の一端に設けられ、前記ロッド部５の中心線Ｏ２の延長線上に頂部を有し、基部の外周面が前記ロッド部５の外周面の反射面と連続する透明な錐状部６とからなる導光ロッド４を、前記ロッド部５の中心線Ｏ２を前記リフレクタ３のの中心線Ｏ１に一致させるとともに前記錐状部６の頂部と基部との中間部付近を前記リフレクタ３による反射光の集光部に位置させて配置したものであるため、前記光源ランプ２から放射され、前記リフレクタ３により集光方向に反射されて前記導光ロッド４にその一端側から入射した光を、この導光ロッド４の他端側に前記リフレクタ３の集光角よりも小さい広がり角で出射することができる。
【００３８】
そして、この光源装置１は、前記導光ロッド４の他端側に出射する光の広がり角が前記リフレクタ３の集光角よりも小さいため、従来の光源装置のように、プロジェクタのレンズ設計を容易にするためにリフレクタの焦点距離倍率を大きくして、その集光角を小さくする必要はない。
【００３９】
そのため、前記リフレクタ３は、リフレクタ深さ（光源ランプ２の発光部からリフレクタ３の出射口３ａまでの距離）が大きい、高い集光効率を有するものでよく、したがって、光源ランプ２の発光部からの放射光のうち、前記リフレクタ３により反射されずに直接リフレクタ３の出射口３ａから出射する光の量を少なくし、前記光源ランプ２からの光を効率良く前記リフレクタ３により反射して前記導光ロッド４に入射させることができる。
【００４０】
そして前記プロジェクタは、前記光源装置１を備えたものであるため、前記光源側レンズ１１及び投影側レンズ１２の取込み角を小さくすることができ、したがって、これらのレンズ１１，１２の設計を容易にしてコストを低減することができる。
【００４１】
なお、上記実施例の光源装置１は、導光ロッド４の錐状部６を、その基端の外形がロッド部５の端面の外形と一致する断面形状が正方形の角錐状に形成したものであるが、前記錐状部６は、前記ロッド部５の外周形状と異なる断面形状の錐状をなし、その基部の外周面が前記ロッド部５の外周面の反射面と連続する形状に形成してもよい。
【００４２】
すなわち、図５は前記導光ロッド４の変形例を示す斜視図であり、この導光ロッド４は、前記錐状部６を、円錐状をなし、その基部の外周面が角棒状透明体からなるロッド部５の外周面の反射面と連続する形状に形成したものである。
【００４３】
また、図６は前記導光ロッド４の他の変形例を示す斜視図であり、この導光ロッド４は、前記錐状部６を、前記ロッド部５よりも多角形、例えば八角形の角錐状をなし、その基部の外周面が前記ロッド部５の外周面の反射面と連続する形状に形成したものである。
【００４４】
さらに、上記実施例では、前記導光ロッド４のロッド部５を断面形状が正方形の角棒状透明体により形成しているが、このロッド部５を、断面形状が長方形の角棒状透明体や、断面形状が円形または楕円あるいは長円形の角棒状透明体により形成し、前記錐状部６を、その基端の外形が前記ロッド部５の端面の外形と一致する形状の錐状に形成するか、あるいは前記ロッド部５の外周形状と異なる形状の錐状をなし、その基部の外周面が前記ロッド部５の外周面の反射面と連続する形状に形成してもよい。
【００４５】
また、上記実施例では、導光ロッド４のロッド部５と錐状部６とを同じ透明材（例えばガラス）により一体に形成しているが、前記ロッド部５と錐状部６とを別に形成し、前記ロッド部５の一端面に前記錐状部６の基端面をこれらの光屈折率と同じかそれに近い屈折率を有する透明な粘着剤により貼付けて一体化させてもよい。
【００４６】
さらに、上記実施例の光源装置１は、導光ロッド４のロッド部５を角棒状透明体により形成したものであるが、前記ロッド部は、内周面がロッド部内を導かれる光の反射面とされた筒状体により形成してもよい。
【００４７】
図７はこの発明の第２の実施例を示す光源装置の側面図、図８は前記光源装置の導光ロッドの断面図である。
【００４８】
この実施例の光源装置１ａは、ガラス板等の４枚の板材をその側縁部を互いに貼合わせて形成され、内周面全体に反射面を形成する反射膜８ａが設けられた角筒体からなるロッド部８の一端に、基部の外周面が前記ロッド部８の内周面の反射膜８ａの膜面と一致する形状に形成された透明な錐状部９の基部を、その基部の外周面が前記ロッド部８の内周面の反射面と連続するように嵌合して固定した構成の導光ロッド７を備えたものであり、他の構成は上述した第１の実施例の光源装置１と同じである。
【００４９】
すなわち、この実施例の光源装置１ａは、光源ランプ２の発光部から放射され、リフレクタ３により集光方向に反射されて前記導光ロッド７の錐状部９に入射した光を、前記錐状部９の外周面と空気層との界面で全反射して前記導光ロッド７のロッド部８内に入り込ませ、その光を前記ロッド部８の内周面の反射膜８ａにより反射しながら前記ロッド部８内を導いてその他端側に出射するものであり、この光源装置１ａにおいても、前記リフレクタ３により集光方向に反射されて前記導光ロッド７にその一端側から入射した光を、この導光ロッド７の他端側に前記リフレクタ３の集光角よりも小さい広がり角で出射することができるため、プロジェクタの光源側レンズ及び投影側レンズの設計を容易にして前記プロジェクタのコストを低減するとともに、前記リフレクタ３の集光角を大きくし、光源ランプ２からの光を効率良く前記リフレクタ３により反射して前記導光ロッド７に入射させることができる。
【００５０】
また、図９はこの発明の第３の実施例を示す光源装置の側面図、図１０は前記光源装置の導光ロッドの斜視図である。
【００５１】
この実施例の光源装置１ｂは、リフレクタ３の出射口３ａから出射する光の中心部に生じる光源ランプ２の影内に入る先端部分が切り落とされた裁頭錐状の錐状部６ａを有する導光ロッド４ａを備えたものであり、他の構成は上述した第１の実施例の光源装置１と同じである。
【００５２】
この光源装置１ｂは、導光ロッド４ａの錐状部６ａを、先端部分が切り落とされた裁頭錐状に形成したものであるが、前記リフレクタ３の出射口３ａから出射する光は、光源ランプ２が配置された中心部からの出射光がほとんど無い環状の光であり、前記錐状部６ａの先端の切り落とし面には光がほとんど入射しないため、前記導光ロッド４ａのロッド部５の他端面から出射する光は、前記第１の実施例の光源装置１と同じである。
【００５３】
そして、この実施例では、前記導光ロッド４ａの錐状部６ａを、先端部分が切り落とされた裁頭錐状に形成しているため、その切り落とされた先端部分の長さだけ前記リフレクタ３の出射口３ａから導光ロッド４ａの先端までの距離を大きくすることができ、したがって、前記リフレクタ３の出射口３ａと導光ロッド４との間（光源ランプ２の端部がリフレクタ３の前方に突出している場合は、前記光源ランプ２の端部と導光ロッド４ａとの間）に配置される図示しない防爆ガラスの設置を容易にするとともに、その間への冷却空気の通風量を多くすることができる。
【００５４】
なお、この実施例で用いた導光ロッド４ａは、図３及び図４に示した導光ロッド４の錐状部６の先端部分を切り落としたものであり、この導光ロッド４ａのロッド部５は断面形状が正方形の角棒状透明体からなっており、錐状部６ａは断面形状が正方形の角錐状をなしているが、前記ロッド部５と錐状部６ａの断面形状は他の形状でもよく、さらに、前記ロッド部５は、内周面がロッド部内を導かれる光の反射面とされた筒状体により形成してもよい。
【００５５】
なお、上述した各実施例の光源装置１，１ａ，１ｂは、リフレクタ３を楕円面リフレクタとしたものであるが、リフレクタは、その内部に収容された光源ランプからの放射光を、このリフレクタの出射口の前方において集光する方向に反射して前記出射口から出射するものであれば、例えば円面リフレクタでもよい。
【００５６】
また、図１に示したプロジェクタは、マイクロミラー表示素子１０を表示体としたものであるが、この発明の光源装置は、背面側に反射膜を備えた反射型液晶表示素子を表示体とするプロジェクタや、光の透過を制御して画像を表示する透過型液晶表示素子を表示体とし、その入射側に光源装置からの光を前記表示体に入射させるための光源側レンズを配置し、前記表示体の出射側に投影側レンズを配置したプロジェクタにも利用することができる。
【００５７】
さらに、液晶表示素子を表示体とするプロジェクタの場合、前記液晶表示素子は、複数の色、例えば赤、緑、青の３色のカラーフィルタを備えたカラー画像表示素子でもよく、その場合は、上述した各実施例の光源装置１，１ａ，１ｂの出射側に配置されたカラーホィール１４は不要である。
【００５８】
【発明の効果】
この発明の光源装置は、リフレクタの出射側に、周面が光の反射面とされたロッド部と、このロッド部の一端に設けられ、前記ロッド部の中心線の延長線上に頂部を有し、基部の外周面が前記ロッド部の周面の反射面と連続する透明な錐状部とからなる導光ロッドを、前記ロッド部の中心線を前記リフレクタの中心線に一致させるとともに前記錐状部の頂部と基部との中間部付近を前記リフレクタによる反射光の集光部に位置させて配置したものであるため、前記リフレクタ内に収容された光源ランプから放射され、前記リフレクタにより集光方向に反射されて前記導光ロッドにその一端側から入射した光を、この導光ロッドの他端側に前記リフレクタの集光角よりも小さい広がり角で出射することができ、したがって、前記リフレクタの集光角を大きくし、光源ランプからの光を効率良く前記リフレクタにより反射して前記導光ロッドに入射させることができる。
【００５９】
この発明の光源装置において、前記導光ロッドのロッド部は、外周面がロッド部内を導かれる光の反射面とされた棒状透明体により形成しても、あるいは、内周面がロッド部内を導かれる光の反射面とされた筒状体により形成してもよく、いずれの場合も、前記リフレクタにより集光方向に反射されて前記導光ロッドにその一端側から入射した光を、この導光ロッドの他端側に前記リフレクタの集光角よりも小さい広がり角で出射することができる。
【００６０】
また、前記導光ロッドの錐状部は、前記リフレクタの出射口から出射する光の中心部に生じる光源ランプの影内に入る先端部分が切り落とされた裁頭錐状に形成するのが好ましく、このようにすることにより、前記リフレクタの出射口から導光ロッドの先端までの距離を大きくし、前記リフレクタの出射口と導光ロッドとの間に配置される防爆ガラスの設置を容易にするとともに、その間への冷却空気の通風量を多くすることができる。
【００６１】
また、この発明のプロジェクタは、前記発明の光源装置と、光の反射または透過を制御して画像を表示する表示体と、前記光源装置からの光を前記表示体に入射させるための光源側レンズと、前記表示体からの出射光を投影面に投影するための投影側レンズとを備えたものであるため、前記光源側レンズ及び投影側レンズの設計を容易にし、コストを低減することができる。
【図面の簡単な説明】
【図１】この発明の一実施例を示すプロジェクタの構成図。
【図２】前記プロジェクタの光源装置の側面図。
【図３】前記光源装置の導光ロッドの斜視図。
【図４】前記導光ロッドの断面図。
【図５】前記導光ロッドの変形例を示す斜視図。
【図６】前記導光ロッドの他の変形例を示す斜視図。
【図７】この発明の光源装置の第２の実施例を示す側面図。
【図８】第２の実施例の光源装置の導光ロッドの断面図。
【図９】この発明の光源装置の第３の実施例を示す側面図。
【図１０】第３の実施例の光源装置の導光ロッドの斜視図。
【符号の説明】
１，１ａ，１ｂ…光源装置、２…光源ランプ、３…リフレクタ、３ａ…出射口、Ｏ１…リフレクタの中心線、４，４ａ，７…導光ロッド、５，８…ロッド部、Ｏ２…ロッド部の中心線、６，６ａ，９…錐状部、１０…マイクロミラー表示素子（表示体）、１１…光源側レンズ、１２…投影側レンズ、１３…中継レンズ、１４…カラーホィール。
【図１】
2004205783.tif 000003
【図２】
2004205783.tif 000004
【図３】
2004205783.tif 000005
【図４】
2004205783.tif 000006
【図５】
2004205783.tif 000007
【図６】
2004205783.tif 000008
【図７】
2004205783.tif 000009
【図８】
2004205783.tif 000010
【図９】
2004205783.tif 000011
【図１０】
2004205783.tif 000012